(57)【要約】【課題】遊技盤の前面に配される大入賞口等において、遊技盤等の部材変形の影響を受け難くして、開口扉が長期間に渡り円滑に開閉することを可能とし、しかも開口部の上縁端部と開口扉の開放端側縁端部との隙間を狭くすることができるようにする。【解決手段】大入賞口１３を構成するベース部材１３０の開口部１３１には、該開口部１３１の上縁端部側を開放端側として該開口部１３１の下縁端部側に回動可能に支持された開口扉１４０が設けられている。この開口扉１４０の開放端側の縁端部には、後方へ下り傾斜となる第１の傾斜面１４１が形成されており、開口部１３１が変形した場合でも、開口扉１４０が、回動する際に開口部１３１の上縁端部に引っ掛かり難くなっている。【選択図】　　　　　図１
2004000445.tif 000002
【特許請求の範囲】
【請求項１】
遊技盤の前面に配された開口部と、該開口部の上縁端部側を開放端側として該開口部の下縁端部側に回動可能に支持された開口扉とを備え、前記開口扉は、前記開口部を閉鎖する閉鎖位置と該閉鎖位置から前方に傾動して該開口部を開放する開放位置との間を移動するように形成されてなる遊技機において、
前記開口扉の前記開放端側の縁端部に、後方へ下り傾斜となる第１の傾斜面が形成されていることを特徴とする遊技機。
【請求項２】
前記開口部の前記上縁端部に、前記開口扉が前記閉鎖位置にあるときの前記第１の傾斜面と略平行に対向する第２の傾斜面が形成されていることを特徴とする請求項１記載の遊技機。
【請求項３】
前記開口部が、所定の入賞状態になったときに前記開口扉によって間欠的に開放される、前記遊技盤の下部に配される大入賞口用の開口部であることを特徴とする請求項１または請求項２記載の遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
現在の遊技機、例えばパチンコ機においては、遊技盤の前面略中央部に、画像で表現される複数の特別図柄を遊技状態に応じて変動表示する液晶表示装置が配されているのが一般的である。また、遊技盤の前面下部には、上記画像表示装置に表示される特別図柄が「大当たり」状態となったときに、所定時間および所定回数だけ間欠的に開放されて、通常時よりも多くの遊技球を受け入れられる大入賞口が設けられている。
【０００３】
このような大入賞口としては、遊技盤の前面下部に配された開口部と、この開口部の上縁端部側を開放端側として開口部の下縁端部側に回動可能に支持された開口扉とからなり、通常時は開口扉により開口部を閉鎖し、「大当たり」状態となったときに、開口扉が間欠的に前方に傾動して開口部を開放するように構成されたものが一般的に知られている。
【０００４】
【発明が解決しようとする課題】
ところで、上述したような開口部と開口扉で構成された大入賞口においては、開口部の上縁端部と開口扉の開放端側縁端部との隙間に、先端を鉤状に形成した針金等の部材を前方より差し込むと共に、鉤状の先端を開口扉の開放端側縁端部に引っ掛けて、強制的に開口扉を前方に傾動させ開口部を開放状態にするという不正行為が行なわれることがあった。
【０００５】
このような不正行為を防止するためには、大入賞口を構成する開口部の上縁端部と開口扉の開放端側縁端部との隙間を、針金等を差し込めない程度まで狭くすることが好ましい。このため、最近の遊技機においては、開口部の上縁端部と開口扉の開放端側縁端部との隙間をなるべく狭くできるように、開口部および開口扉の寸法設定がなされ、その組付けが行なわれるようになっている。
【０００６】
しかし、このような寸法設定および組付けがなされた遊技機においては、使用していくうちに開口部や開口扉を構成する部材自体が変形したり、遊技盤が変形することの影響を受けて開口部の大きさが変わったりして、開口部の上縁端部と開口扉の開放端側縁端部との隙間が、開口扉の回動に必要とされる間隔より狭くなっていまい、開口扉が円滑に開閉できなくなる虞があった。
【０００７】
本発明は、上記事情に鑑みなされたもので、遊技盤等の部材変形の影響を受け難くして、開口扉が長期間に渡り円滑に開閉することを可能とし、しかも開口部の上縁端部と開口扉の開放端側縁端部との隙間を狭くすることができる遊技機を提供することを目的とする。
【０００８】
【課題を解決するための手段】
上記課題を解決するため本発明の遊技機は、遊技盤の前面に配された開口部と、該開口部の上縁端部側を開放端側として該開口部の下縁端部側に回動可能に支持された開口扉とを備え、前記開口扉は、前記開口部を閉鎖する閉鎖位置と該閉鎖位置から前方に傾動して該開口部を開放する開放位置との間を移動するように形成されてなる遊技機において、
前記開口扉の前記開放端側の縁端部に、後方へ下り傾斜となる第１の傾斜面が形成されていることを特徴とするものである。
【０００９】
前記開口部の前記上縁端部に、前記開口扉が前記閉鎖位置にあるときの前記第１の傾斜面と略平行に対向する第２の傾斜面を形成することが好ましい。
【００１０】
前記開口部は、所定の入賞状態になったときに前記開口扉によって間欠的に開放される、前記遊技盤の下部に配される大入賞口用の開口部とすることができる。
【００１１】
【発明の実施の形態】
以下、本発明の実施形態について図面を参照しながら説明する。なお、以下の説明では、代表的な弾球遊技機としてのパチンコ機に、本発明を適用した例について説明を行なう。
【００１２】
＜パチンコ機概要＞
図５、６は、本発明の一実施形態に係るパチンコ機を示すもので、図５はパチンコ機の正面図、図６は遊技部内の詳細構成を示す図である。
図５に示すように、本発明の一実施形態に係るパチンコ機３０では、パチンコ機３０の側方に設けられた貸球機４０に、プリペイドカードを挿入することにより供給される遊技球を、その遊技部３（詳細は、図６参照）内に弾発させることによって、弾球遊技を行なうことができるようになっている。
【００１３】
また、パチンコ機３０は、図示せぬパチンコ設置台に保持される外枠３１と、この外枠３１の上半部に開閉可能に取り付けられた前側枠体（フロントドア）８０とを備えており、その下方には操作部９０が設けられている。
【００１４】
操作部９０には、遊技に使用するための遊技球を貯留するとともに賞として払い出される遊技球を受け入れるための上受け皿９１と、上受け皿９１からオーバーフローした遊技球を受け入れるための下受け皿９２とが上下に並べて取り付けられている。また、下受け皿９２の右側には遊技球の発射操作を行なうための発射装置９３が設けられ、下受け皿９２の左側には灰皿９４が設けられている。さらに、上受け皿９１には、当該パチンコ機３０における球貸操作等を行なうための操作パネル９５が設けられている。
【００１５】
上記前側枠体８０の中央部には、遊技部表示用の開口窓８４が配されており、この開口窓８４の左右両側には、装飾用ランプの設置部（不図示）をそれぞれ前方側から覆う装飾用レンズ部材１１０Ａ〜１１０Ｃが取り付けられている。また、前側枠体８０の上部中央には、賞球時に点灯または点滅する賞球表示ランプ、球詰まり等のトラブル発生時に点灯または点滅する異常表示ランプ、および遊技状態を表示する遊技状態表示ランプが設置される表示用ランプの設置部（不図示）が形成されており、さらにこの設置部を前方側から覆う表示用レンズ部材１２０が取り付けられている。
【００１６】
さらに、前側枠体８０の上部両側には、スピーカ取付用開口部（不図示）が左右対称的に形成されており、この一対のスピーカ取付用開口部には、効果音を発生させるスピーカ装置１００が、それぞれ取り付けられている。
【００１７】
＜遊技盤＞
図６に示す遊技盤１は、その表面に一対のガイドレール２で囲まれた略円形の遊技部３を備えており、遊技部３内には、複数の障害釘や風車等の障害部材４が配設されると共に、複数の特別図柄を変動表示するための特別図柄表示装置として機能する画像表示装置５と、２個の普通図柄表示ＬＥＤ６ａ，６ｂを有する普通図柄表示装置７と、複数の入賞口と、いずれの入賞口にも入賞しなかった遊技球を遊技部３内から排出するためのアウト口８とが設けられている。
【００１８】
上記画像表示装置５の周囲には、遊技盤１の表面から立ち上がる枠体２１が設けられており、この枠体２１の下辺部分には、側方から水平方向に飛び込んだ遊技球を一時滞留させ、その後この遊技球を後述する始動入賞口１２に流下させるステージ２２が設けられている。
【００１９】
＜入賞口＞
上記入賞口は、その機能によって複数種類に分かれており、遊技球が入賞したことを条件として所定数の賞球を排出するための一般入賞口９と、遊技球が通過したことを条件として、普通図柄表示装置７における普通図柄表示ＬＥＤ６ａ，６ｂの変動表示を開始させるための普通図柄始動口１０と、遊技球を受け入れ易い状態と、遊技球を受け入れ難い状態との間で切換可能な変動部材（以下、普通電動役物１１と称す）を有し、遊技球が入賞したことを条件として画像表示装置５における特別図柄の変動表示を開始させるための始動入賞口１２と、遊技球を受け入れ易い状態と、遊技球を受け入れ難い状態との間で切換可能となっており、画像表示装置５における図柄の停止表示態様が所定の賞態様を構成した場合に、所定時間および所定回数だけ遊技球を受け入れ易い状態に切り換えられる大入賞口１３とからなる。この大入賞口１３の構成が本発明のポイントとなる部分であり、その詳細については後述する。
【００２０】
＜普通図柄始動口＞
上記普通図柄始動口１０は、始動入賞口１２の左下方に設けられており、通過する遊技球を検出するようになっている。この普通図柄始動口１０の通過球は、４個まで記憶可能となっており、この入賞記憶に基づいて、普通図柄表示装置７における図柄の変動表示が行なわれる。また、画像表示装置５の右側部には、普通図柄始動口１０の通過記憶個数を表示するための４個の普通図柄記憶ＬＥＤ１４が設けられている。この普通図柄記憶ＬＥＤ１４の点灯個数により、普通図柄始動口１０の通過記憶個数を表示することができる。
【００２１】
＜始動入賞口＞
上記始動入賞口１２の左右には、遊技球を受け入れ易い状態と、遊技球を受け入れ難い状態との間で切換可能ないわゆるチューリップ状の普通電動役物１１が設けられている。この普通電動役物１１は、通常の状態では遊技球を受け入れ難い状態となっており、普通図柄表示装置７において「当たり」となった場合に、所定時間（例えば、０．３秒間）だけ遊技球を受け入れ易い状態に切り換えられる。
【００２２】
また、始動入賞口１２への入賞球は、４個まで記憶可能となっており、この入賞記憶に基づいて、画像表示装置５における図柄の変動表示が行なわれる。また、画像表示装置５の左側部には、始動入賞口１２への入賞記憶個数を表示するための４個の特別図柄記憶ＬＥＤ１５が設けられている。この特別図柄記憶ＬＥＤ１５の点灯個数により、始動入賞口１２への入賞記憶個数を表示することができる。
【００２３】
＜画像表示装置＞
上記画像表示装置５は、遊技部３のほぼ中央に設けられた液晶表示装置からなり、画像で表現される複数の特別図柄を変動表示するとともに、遊技状態に対応したアニメーション表示を行なうことにより、遊技演出を行なうことができるようになっている。
【００２４】
画像表示装置５に表示される特別図柄は、例えば「０」「１」「２」・・・「９」「１０」「１１」等の数字からなり、停止表示された数字の組み合わせが「０」「０」「０」、「７」「７」「７」等のように３個とも同一の数字となった場合を「大当たり」として、一般遊技と比較して遊技者に有利な特別遊技を行なうことができる。
この特別遊技とは、例えば大入賞口１３を、所定時間および所定回数だけ遊技球を受け入れ易い状態に切り換えて、一般遊技よりも多くの遊技球を入賞させることにより、多くの賞球を獲得することができるような遊技である。
【００２５】
＜普通図柄表示装置＞
上記普通図柄表示装置７は、画像表示装置５の上方に設けられた赤色発光と緑色発光の２個の普通図柄表示ＬＥＤ６ａ，６ｂを備えている。この普通図柄表示装置７では、２個の普通図柄表示ＬＥＤ６ａ，６ｂが赤、緑の発光色で交互に点滅するようになっており、２個の普通図柄表示ＬＥＤ６ａ，６ｂの点滅が終了して緑色で点灯した場合を「当たり」として、始動入賞口１２に設けられた普通電動役物１１を、所定時間だけ遊技球を受け入れ易い状態に切り換えて、始動入賞口１２に遊技球を入賞させ易くする。
【００２６】
なお、普通図柄表示装置７は、上述した２個の普通図柄表示ＬＥＤ６ａ，６ｂを備えて構成する他に、例えば７セグメント表示器等により構成することもできる。この場合には、７セグメント表示器に表示する普通図柄として、例えば「０」「１」「２」・・・「７」「８」「９」等の数字を変動表示し、停止表示された数字が「３」あるいは「７」となった場合を「当たり」とする。
【００２７】
＜枠体＞
上記枠体２１は、画像表示装置５の周囲の全周に亘り遊技盤１の表面より立設した壁部として形成されたものであり、図６に示すように、その背面上辺部は緩やかな円弧状をなすように形成されている。したがって、この遊技部３内に弾発された遊技球はこの枠体２１の背面上辺部に落下した後、緩やかなカーブを描いて側辺部に到る左右の肩部２３ａ，２３ｂに導かれ、略所定の速度で所定の障害釘列２４ａ，２４ｂ上に落下する（図６中の矢印参照；障害釘列２４ａに落下する遊技球軌跡のみを示す）。
【００２８】
さらに、この障害釘列２４ａ，２４ｂ上に落下した遊技球は所定の確率で水平方向に弾き飛ばされる（図６中の矢印参照；障害釘列２４ａに落下する遊技球軌跡のみを示す）。
【００２９】
この枠体２１の下方部分は、左右の側部に遊技球導入口２５ａ，２５ｂを有し、この遊技球導入口２５ａ，２５ｂから入った遊技球を一時的に滞留させる平坦部２６を有するステージ２２が形成されている。また、この平坦部２６は、左右方向においては中央部に向かって緩やかな下り傾斜がつけられており、この平坦部２６の前端中央部には遊技球流下用の切欠き部２７が設けられている。また、このステージ２２の前面は、このステージ２２内に滞留している遊技球が遊技者から視認し得るように大きく開設されている。
ステージ２２に一時滞留した遊技球は、平坦部２６の傾斜にしたがって上記切欠き部２７に集められ、この切欠き部２７から始動入賞口１２に流下するようになっている。
【００３０】
＜大入賞口の構成＞
次に、図１を参照しながら、上記大入賞口１３の構成について詳細に説明する。図１は図６に示す大入賞口１３の構成を示す縦断面図である。
【００３１】
図１に示すように大入賞口１３は、遊技盤１の前面下部に穿設された開口１ａに取り付けられたベース部材１３０と、開口扉１４０とを備えてなる（図６にも図示）。ベース部材１３０は、その前面中央部に、遊技球取込用の開口部１３１を有しており、上記開口扉１４０は、この開口部１３１の上縁端部側を開放端側として該開口部１３１の下縁端部側に配された回動軸Ｃを中心に回動可能に支持されている。すなわち、開口扉１４０は、上記回転軸Ｃを中心として回動することにより、開口部１３１を閉鎖する閉鎖位置（開口扉１４０が図示した状態にある時の位置）と、該閉鎖位置から前方に（図中Ｆ方向に）傾動して開口部１３１を開放する開放位置（不図示）との間を移動するように構成されている。そして、上記開口扉１４０の開放端側の縁端部には、後方（図中右方）へ下り傾斜となる第１の傾斜面１４１が形成されている。
【００３２】
開口扉１４０の開放端側の縁端部に、図示したような第１の傾斜面１４１を設けたことにより、開口扉１４０は、その開放端側縁端部の前端１４２と回転軸Ｃとを結ぶ回転半径に比較して、その開放端側縁端部の後端１４３と回転軸Ｃとを結ぶ回転半径が小さくなっている。これらの２つの回転半径が略等しい（従来技術）と、ベース部材１３０や開口扉１４０が変形して開口部１３１の大きさが相対的に小さくなった場合には、開口扉１４０が回動する際、特に開口扉１４０の開放端側縁端部の後端１４３が開口部１３１の上縁端部と接触して引っ掛かり易い。
【００３３】
これに対して、本実施形態においては、上述したように第１の傾斜面１４１を設けたことにより、開口扉１４０の開放端側縁端部の後端１４３と回転軸Ｃとを結ぶ回転半径が小さくなっているので、開口部１３１が変形した場合においても、開口扉１４０の開放端側縁端部の後端１４３が開口部１３１の上縁端部と接触し難くなっており、このため、開口扉１４０が開口部１３１に引っ掛かり難くなっている。さらに、開口部１３１が変形した場合でも、開口部１３１の上縁端部と接触する虞の少ない開口扉１４０の開放端側縁端部の前端１４２に関しては、開口部１３１の上縁端部との隙間ｄを狭く設定することが可能となっている。したがって、開口部１３１の上縁端部と開口扉１４０の開放端側縁端部との隙間に、先端を鉤状に形成した針金等の部材を前方より差し込み難くすることが可能であり、鉤状の先端を開口扉の開放端側縁端部に引っ掛けて、強制的に開口扉を前方に傾動させ開口部を開放状態にするという不正行為が行なわれる可能性を少なくすることができる。
【００３４】
なお、上記第１の傾斜面１４１の傾斜角度は、原理的には、０度を超え９０度に達しない角度範囲の中で任意の角度に設定し得る。この傾斜角度をより大きく設定するほど、開口扉１４０等が変形した場合に、開口扉１４０が開口部１３１に引っ掛かり難くすることが可能となる。ただし、第１の傾斜面１４１の傾斜角度が大きくなると、それに伴い開口扉１４０の開放端側の厚みが薄くなるため、この部分が強度的に弱くなり、開口部１３１の上縁端部と開口扉１４０の開放端側縁端部との隙間に、針金等の部材を差込み易くなる虞もある。
【００３５】
このような点を考慮すると、上記第１の傾斜面１４１の傾斜角度は、開口扉１４０の強度維持を強く考慮する場合には、図２（ａ）に示すように、５度から１５度の角度範囲内の角度、例えば１０度に設定されることが好ましく、開口扉１４０が開口部１３１に引っ掛かり難くするという上述した効果の発現を強く考慮する場合には、図２（ｂ）に示すように、４０度から５０度の角度範囲内の角度、特に４５度に設定されることが好ましい。ここで、図２は、上記第１の傾斜面１４１の傾斜角度の好ましい態様を示す図で、同図（ａ）は、傾斜角度を５度から１５度の角度範囲内の角度に設定する場合を示し、同図（ｂ）は、傾斜角度を４０度から５０度の角度範囲内の角度に設定する場合を示している。
【００３６】
次に、本発明の他の実施形態について説明する。図３は大入賞口１３Ａの構成を示す縦断面図である。なお、図３において、図１に示す部材等と同一の部材等に関しては図１と同じ番号を用いて表わし、図１に示す部材と同様の部材等に関しては、図１に示す部材等に用いた番号の数字の後に文字Ａを付した番号を用いて表わし、重複する事項に関する説明は省略する。
【００３７】
図３に示す大入賞口１３Ａが、上述した大入賞口１３と異なるのは、大入賞口１３Ａを構成するベース部材１３０Ａが有する開口部１３１Ａの上縁端部に、開口扉１４０Ａが閉鎖位置（開口扉１４０Ａが図示した状態にある時の位置）にあるときの第１の傾斜面１４１Ａと略平行に対向する第２の傾斜面１３２が形成されている点にある。
【００３８】
このような第２の傾斜面１３２を開口部１３１Ａの上縁端部に形成したことにより、開口扉１４０Ａの開放端側縁端部の後端１４３Ａと開口部１３１Ａの上縁端部との隙間ｅＡを、図１に示す大入賞口１３の同位置における隙間ｅに比較して狭く（開口扉１４０Ａの開放端側縁端部の前端１４２Ａと開口部１３１Ａの上縁端部との隙間ｄＡと略同じ寸法に）設定することが可能となっている。したがって、開口部１３１Ａの上縁端部と開口扉１４０Ａの開放端側縁端部との隙間に、先端を鉤状に形成した針金等の部材を前方側より後方奥まで差し込むことが、図１に示す実施形態に比べてより困難になっており、不正行為が行なわれる可能性をさらに少なくすることが可能となっている。
【００３９】
また、上述したように、上記隙間ｅＡを図１に示す大入賞口１３の同位置における隙間ｅに比較して狭くしたとしても、開口扉１４０Ａの開放端側の縁端部に形成された第１の傾斜面１４１Ａと、開口部１３１Ａの上縁端部に形成された第２の傾斜面１３２とが互いに対向配置されていることにより、ベース部材１３０Ａや開口扉１４０Ａが変形して開口部１３１Ａの大きさが相対的に小さくなった場合においても、開口扉１４０Ａが回動する際に開口部１３１Ａに引っ掛かり難くなっている。
【００４０】
なお、上記第１の傾斜面１４１Ａおよび上記第２の傾斜面１３２の傾斜角度は、原理的には、０度を超え９０度に達しない角度範囲の中で任意の角度に設定し得る。これらの傾斜角度をより大きく設定するほど、開口扉１４０Ａ等が変形した場合にも、開口扉１４０Ａが開口部１３１Ａに引っ掛かり難くすることが可能となり、また、開口部１３１Ａの上縁端部と開口扉１４０Ａの開放端側縁端部との隙間に、針金等の部材を前方側より後方奥まで差込み難くすることが可能となる。
【００４１】
ただし、第１の傾斜面１４１Ａの傾斜角度が大きくなると、それに伴い開口扉１４０Ａの開放端側の厚みが薄くなるため、この部分が強度的に弱くなる虞が生じる。また、第１の傾斜面１４１Ａと第２の傾斜面１３２との隙間を狭く維持しつつ、第２の傾斜面１３２の傾斜角度を大きくするためには、開口部１３１Ａの大きさを小さくするか、あるいは開口扉１４０Ａの大きさを大きくする必要が生じるので、傾斜角度の設定には、開口部１３１Ａ、開口扉１４０Ａの大きさをどの程度に設定するのかという点での制約がある。
【００４２】
このような点を考慮すると、上記第１の傾斜面１４１Ａおよび上記第２の傾斜面１３２の傾斜角度は、開口扉１４０Ａの強度維持を強く考慮する場合には、図４（ａ）に示すように、５度から１５度の角度範囲内の角度、例えば１０度に設定されることが好ましく、上述した効果の発現を強く考慮する場合には、図４（ｂ）に示すように、４０度から５０度の角度範囲内の角度、特に４５度に設定されることが好ましい。ここで、図４は、上記第１の傾斜面１４１の傾斜角度の好ましい態様を示す図で、同図（ａ）は、傾斜角度を５度から１５度の角度範囲内の角度に設定する場合を示し、同図（ｂ）は、傾斜角度を４０度から５０度の角度範囲内の角度に設定する場合を示している。
【００４３】
また、上記第１の傾斜面１４１Ａおよび上記第２の傾斜面１３２の傾斜角度は、必ずしも同じ角度とする必要はないが、互いに異なる角度に設定すると、開口扉１４０Ａ等が変形して２つの傾斜面１４１Ａ，１３２が互いに接触する場合、その接触部分が点や線となり易いので、耐久性が低下する虞がある。したがって、第１の傾斜面１４１Ａと第２の傾斜面１３２とが互いに接触する場合の接触部分の面積が広くなるように、これら２つの傾斜面１４１Ａ，傾斜面１３２の傾斜角度は互いに同じ角度に設定することが好ましい。
【００４４】
なお、上述した実施形態においては、本発明を遊技盤の前面下部に配された大入賞口に適用しているが、本発明は、遊技盤の前面に配される種々の入賞口等の開口に対して適用することが可能である。
【００４５】
また、上述した実施形態では、パチンコ機を例にとって説明したが、本発明は、雀球遊技機等の他の弾球遊技機やスロットマシン等のその他の遊技機にも適用することが可能である。
【００４６】
【発明の効果】
以上、詳細に説明したように本発明の遊技機によれば、遊技盤の前面に配された開口部の上縁端部側を開放端側として、該開口部の下縁端部側に回動可能に支持された開口扉の開放端側の縁端部に、後方へ下り傾斜となる第１の傾斜面が形成されていることにより、以下のような効果を奏する。
【００４７】
すなわち、上記第１の傾斜面を設けたことにより、開口扉の開放端側縁端部の後端と開口扉の回転軸とを結ぶ回転半径を小さくすることができるので、開口部が変形した場合においても、開口扉の開放端側縁端部の後端が開口部の上縁端部と接触し難く、開口扉が開口部に引っ掛かり難くすることが可能となる。したがって、遊技盤等の部材変形の影響を受け難く、開口扉が長期間に渡り円滑に開閉することが可能となる。
【００４８】
また、開口部が変形した場合でも、開口部の上縁端部と接触する虞の少ない開口扉の開放端側縁端部の前端に関しては、開口部の上縁端部との隙間を狭く設定することが可能なので、開口部の上縁端部と開口扉の開放端側縁端部との隙間に、先端を鉤状に形成した針金等の部材を前方より差し込み難くすることが可能である。したがって、鉤状の先端を開口扉の開放端側縁端部に引っ掛けて、強制的に開口扉を前方に傾動させ開口部を開放状態にするという不正行為が行なわれる可能性を少なくすることができる。
【００４９】
さらに、開口部の上縁端部に、開口扉が閉鎖位置にあるときの第１の傾斜面と略平行に対向する第２の傾斜面を形成したものにおいては、開口扉の開放端側縁端部の後端と開口部の上縁端部との隙間を、開口扉の開放端側縁端部の前端と開口部の上縁端部との隙間と同程度に狭く設定することが可能となる。したがって、開口部の上縁端部と開口扉の開放端側縁端部との隙間に、先端を鉤状に形成した針金等の部材を前方側より後方奥まで差し込むことが、より困難になっており、不正行為が行なわれる可能性をさらに少なくすることが可能となる。
【００５０】
また、開口扉の開放端側縁端部の後端と開口部の上縁端部との隙間を狭くしても、開口扉の開放端側の縁端部に形成された第１の傾斜面と、開口部の上縁端部に形成された第２の傾斜面とが互いに対向配置されていることにより、開口部が変形した場合においても、開口扉が回動する際に開口部に引っ掛かり難くすることが可能となる。
【図面の簡単な説明】
【図１】本発明の一実施形態に係る遊技機の大入賞口の構成を示す縦断面図
【図２】図１に示す第１の傾斜面の傾斜角度の好ましい態様を示す縦断面図
【図３】本発明の他の実施形態に係る遊技機の大入賞口の構成を示す縦断面図
【図４】図３に示す第１、第２の傾斜面の傾斜角度の好ましい態様を示す縦断面図
【図５】本発明の一実施形態に係るパチンコ機の正面図
【図６】図５に示すパチンコ機に使用する遊技部内の詳細構成を示す正面図
【符号の説明】
１　　　　　　　　　　　　遊技盤
１ａ　　　　　　　　　　　大入賞口用の開口
２　　　　　　　　　　　　ガイドレール
３　　　　　　　　　　　　遊技部
４　　　　　　　　　　　　障害部材
５　　　　　　　　　　　　画像表示装置
６ａ，６ｂ　　　　　　　　普通図柄表示ＬＥＤ
７　　　　　　　　　　　　普通図柄表示装置
８　　　　　　　　　　　　アウト口
９　　　　　　　　　　　　一般入賞口
１０　　　　　　　　　　　　普通図柄始動口
１１　　　　　　　　　　　　普通電動役物
１２　　　　　　　　　　　　始動入賞口
１３，１３Ａ　　　　　　　　大入賞口
１４　　　　　　　　　　　　普通図柄記憶ＬＥＤ
１５　　　　　　　　　　　　特別図柄記憶ＬＥＤ
２１　　　　　　　　　　　　枠体
２２　　　　　　　　　　　　ステージ
２３ａ，２３ｂ　　　　　　　肩部
２４ａ，２４ｂ　　　　　　　障害釘列
２５ａ，２５ｂ　　　　　　　遊技球導入口
２６　　　　　　　　　　　　平坦部
２７　　　　　　　　　　　　切欠き部
３０　　　　　　　　　　　　パチンコ機
４０　　　　　　　　　　　　貸球機
８０　　　　　　　　　　　　前側枠体
８４　　　　　　　　　　　　開口窓
９０　　　　　　　　　　　　操作部
９１　　　　　　　　　　　　上受け皿
９２　　　　　　　　　　　　下受け皿
９３　　　　　　　　　　　　発射装置
９４　　　　　　　　　　　　灰皿
９５　　　　　　　　　　　　操作パネル
１００　　　　　　　　　　　スピーカ装置
１１０Ａ〜１１０Ｃ　　　　　装飾用レンズ部材
１２０　　　　　　　　　　　表示用レンズ部材
１３０，１３０Ａ　　　　　　ベース部材
１３１，１３１Ａ　　　　　　開口部
１３２　　　　　　　　　　　第２の傾斜面
１４０，１４０Ａ　　　　　　開口扉
１４１，１４１Ａ　　　　　　第１の傾斜面
１４２，１４２Ａ　　　　　　開口扉の開放端側縁端部の前端
１４３，１４３Ａ　　　　　　開口扉の開放端側縁端部の後端
ｄ，ｄＡ，ｅ，ｅＡ　　　　　隙間
Ｃ，ＣＡ　　　　　　　　　　回動軸
Ｆ　　　　　　　　　　　　　回動方向
【図１】
2004000445.tif 000003
【図２】
2004000445.tif 000004
【図３】
2004000445.tif 000005
【図４】
2004000445.tif 000006
【図５】
2004000445.tif 000007
【図６】
2004000445.tif 000008